(57)【要約】【課題】  始動入賞口の役物を、導入部と２枚の羽根とを備えたチューリップ型役物を用いた場合に比べて上下方向において小型化する。【解決手段】  遊技盤４に、始動入賞口１０を形成する。始動入賞口１０を、開口幅略５０ｍｍで形成する。始動入賞口１０の前面側に、導入役物２０を取り付ける。導入役物２０は、開閉扉２１、球受け部２２を備える。開閉扉２１と球受け部２２とを一体的に形成する。開閉扉２１を、始動入賞口１０を開放する開き位置と、始動入賞口１０を覆う閉じ位置との間で回動可能に設ける。球受け部２２を、球受け部２２の底面が開閉扉２１の底面と略一致するように、開閉扉２１の軸着部である回動軸２１ｂ側に寄せて形成する。開閉扉２１に扉孔２１ａを、球受け部２２に導入通路２２ａを、それぞれ形成する。導入通路２２ａの入口２２ｂを、開口幅略１５ｍｍで形成する。【選択図】        図３
2006230535.tif 000002
【特許請求の範囲】
【請求項１】
遊技球が流下する遊技盤の遊技領域に入賞口が形成され、前記入賞口に前記遊技球が導入されるときの態様に変化を与える導入役物を備えた遊技機において、
前記導入役物は、
前記入賞口の下側に軸着され、前記入賞口を覆う閉じ位置と前記入賞口を開放する開き位置との間で回動し、前記開き位置に回動したときには受け止めた遊技球を前記入賞口に向けて案内する開閉扉と、
前記開閉扉に貫通して形成され、遊技球を通過させる通過孔と、
前記開閉扉の前面に突出して設けられ、前記開閉扉が閉じ位置に回動したときには当該開閉扉の前面の一部を流下する遊技球を受けて前記通過孔を通して前記入賞口に導く球受けと、を有することを特徴とする遊技機。
【請求項２】
前記入賞口の開口幅は、遊技球直径の２倍以上であり、
前記球受けには遊技球の入口が形成され、前記入口の開口幅は、遊技球直径よりも大きく前記入賞口の開口幅よりも小さいことを特徴とする請求項１記載の遊技機。
【請求項３】
前記通過孔及び前記球受けを、前記開閉扉の軸着部側に寄せて設けたことを特徴とする請求項１または２記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される弾球遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持したガラス枠により被覆される構成となっている。遊技盤面には、レールにより規制された遊技領域が形成され、この遊技領域には始動入賞口、アタッカ、図柄可変表示装置、払出入賞口等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
このようなパチンコ機では、センター役物と称される枠状の部材が遊技領域の中央部分に設けられた図柄可変表示装置を取り囲むように取り付けられている（例えば、特許文献１参照）。このセンター役物には、パチンコ球を流入させるための開口が形成されており、この開口からセンター役物内に流入したパチンコ球をその下部に形成されたステージを介して下方に落下させる。このセンター役物の下方には始動入賞口が設けられており、パチンコ球がこの始動入賞口に入る（入賞する）と、制御装置は抽選を行い、この抽選結果が当りであるか否かを判定する。この抽選で大当たりに当選すると、図柄可変表示装置により特定の図柄にて構成される組み合わせが表示され、大当たりモードに移行される。大当たりモードでは、アタッカがそのアタッカの奥に設けられた大入賞口を開放する位置から閉じる位置になることを１ラウンドとして、１５ラウンド繰り返し可動される。これにより、遊技者はパチンコ球を獲得することができる。
【０００４】
近年のパチンコ機においては、確率変動モード（以下、確変モード）や時間短縮モード（以下、時短モード）等が設定されたものが増えており、これら確変モードや時短モードでは、始動入賞口に入賞し易い状態にする必要があるため、始動入賞口の前方には、チューリップ型役物と称される部材が遊技盤に取り付けられている。このチューリップ型役物は、始動入賞口にパチンコ球を導入する導入部と、誘導部の左右に各１枚計２枚設けられた羽根とを備えた構成となっている。２枚の羽根は、開閉自在に設けられており、確変モードや時短モードでは、２枚の羽根が開くことにより、閉じているときに比べて、パチンコ球を始動入賞口に入賞し易くしている。
【特許文献１】特開２００４−３１３５２１号公報
【発明の開示】
【発明が解決しようとする課題】
【０００５】
しかしながら、チューリップ型役物は、導入部と２枚の羽根とを備えた構成になっているため、導入部のみの役物に比べて、上下方向において長くなってしまうという問題があった。さらに、近年のパチンコ機では、図柄可変表示装置及びセンター役物のサイズが大きくなり、遊技盤面上における図柄可変表示装置及びセンター役物以外のものを設けるスペースが小さくなってきているため、始動入賞口の役物の上下方向における小型化が要求されている。
【０００６】
本発明は、上記課題を解決するためになされたものであり、始動入賞口の役物を、導入部と２枚の羽根とを備えたチューリップ型役物を用いた場合に比べて上下方向において小型化することができる遊技機を提供することを目的とする。
【課題を解決するための手段】
【０００７】
本発明の遊技機は、遊技球が流下する遊技盤の遊技領域に入賞口が形成され、前記入賞口に前記遊技球が導入されるときの態様に変化を与える導入役物を備えた遊技機において、前記導入役物は、前記入賞口の下側に軸着され、前記入賞口を覆う閉じ位置と前記入賞口を開放する開き位置との間で回動し、前記開き位置に回動したときには受け止めた遊技球を前記入賞口に向けて案内する開閉扉と、前記開閉扉に貫通して形成され、遊技球を通過させる通過孔と、前記開閉扉の前面に突出して設けられ、前記開閉扉が閉じ位置に回動したときには当該開閉扉の前面の一部を流下する遊技球を受けて前記通過孔を通して前記入賞口に導く球受けと、を有することを特徴とする。なお、前記入賞口としては、入賞すると制御装置により抽選を行う始動入賞口、入賞すると遊技球の払い出しを行う通常入賞口等が挙げられるが、始動入賞口であることが好ましい。また、前記開閉扉と前記球受けとは一体的に形成されていることが好ましい。
【０００８】
また、前記入賞口の開口幅は、遊技球直径の２倍以上であり、前記球受けには遊技球の入口が形成され、前記入口の開口幅は、遊技球直径よりも大きく前記入賞口の開口幅よりも小さいことが好ましい。なお、前記入賞口の開口幅は５５ｍｍ以下が好ましく、前記入口の開口幅は、前記入賞口の開口幅の２０〜５０％程度であることが好ましい。また、遊技球としては、直径略１１ｍｍのものが遊技に用いられる。
【０００９】
さらに、前記通過孔及び前記球受けを、前記開閉扉の軸着部側に寄せて設けることが好ましい。また、前記球受けは、開口幅方向に直交する方向において、前記開閉扉の長さの５０％程度の長さであることが好ましい。
【発明の効果】
【００１０】
本発明の遊技機によれば、遊技球が流下する遊技盤の遊技領域に入賞口が形成され、入賞口に遊技球が導入されるときの態様に変化を与える導入役物を備え、導入役物は、入賞口の下側に軸着され、入賞口を覆う閉じ位置と入賞口を開放する開き位置との間で回動し、開き位置に回動したときには受け止めた遊技球を前記入賞口に向けて案内する開閉扉と、開閉扉に貫通して形成され、遊技球を通過させる通過孔と、開閉扉の前面に突出して設けられ、開閉扉が閉じ位置に回動したときには当該開閉扉の前面の一部を流下する遊技球を受けて通過孔を通して前記入賞口に導く球受けと、を有するから、開閉扉を開き位置に回動することにより通常時（開閉扉が閉じ位置）に比べて遊技球が入賞口に入賞し易い状態にすることができ、さらには、始動入賞口に遊技球を導入する導入部と、導入部の左右に各１枚計２枚設けられた羽根とを備えたチューリップ型役物と称される部材に比べて、高さを低く抑えることができる。
【発明を実施するための最良の形態】
【００１１】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６、及び直径略１１ｍｍのパチンコ球７の打ち出し強さを調節する操作ハンドル８が設けられている。遊技盤４のパチンコ球７が打ち出される遊技領域４ａの略中央には、始動入賞口１０（図２参照）へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口（図２参照）１０、通常入賞口１１、通過入賞口１２、アタッカ１３、アウト口１４が設けられており、アタッカ１３は、遊技盤４に一体的に組み付けられている。また、遊技盤４の略中央には、センター役物１５が一体的に組み付けられており、センター役物１５に形成された開口１５ａを介して、図柄可変表示装置９を視認することができる。
【００１２】
各入賞口１０〜１２内には、各入賞口１０〜１２に入ったパチンコ球７を検知する入賞球検知センサ１６（図６参照）が設けられている。遊技者は、供給皿６にパチンコ球７を投入してパチンコ球７を供給皿６内に設けられた誘導路を介して球発射装置１７（図６参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１１のいずれかまたはアタッカ１３に入るか、あるいはアウト口１４から回収される。アタッカ１３の奥には大入賞口１８が設けられており、大入賞口１８内には、大入賞口１８に入ったパチンコ球７を検知する大入賞球検知センサ１９（図６参照）が設けられている。アタッカ１３は大入賞口１８を開放する開き位置と大入賞口１８を閉じる閉じ位置との間で回動自在に取り付けられている。なお、パチンコ機２の遊技領域４ａに設けられている複数の釘、風車などの構造物は公知であるので説明は省略する。
【００１３】
図２に示すように、遊技盤４には、始動入賞口１０が形成されている。始動入賞口１０は、開口幅略５０ｍｍで形成されている。始動入賞口１０の前面側には、導入役物２０が取り付けられている。
【００１４】
図３及び図４に示すように、導入役物２０は、板状に形成された開閉扉２１と、開閉扉２１の前面に突出して形成された四角柱状の球受け部２２とを備え、樹脂から構成されている。開閉扉２１と球受け部２２とは一体的に形成されている。開閉扉２１は、始動入賞口１０を開放する開き位置と、始動入賞口１０を覆う閉じ位置（図１参照）との間で回動可能に設けられている。球受け部２２は、球受け部２２の底面が開閉扉２１の底面と略一致するように、開閉扉２１の軸着部である回動軸２１ｂ側に寄せて形成されている。開閉扉２１には、パチンコ球７の径よりも大きい径の扉孔（通過孔）２１ａが、球受け部２２には、扉孔２１ａに連通しパチンコ球７を通過させる導入通路２２ａが、それぞれ形成されている。扉孔２１ａは、開閉扉２１の軸着部である回動軸２１ｂ側に寄せて形成されている。導入通路２２ａは、その入口２２ｂが開口幅略１５ｍｍ（始動入賞口１０の３０％）で形成されている。扉孔２１ａ及び導入通路２２ａは、これらによって形成される開閉扉２１及び球受け部２２の下側内壁面が、後方に向けて下向きのテーパ面となるように形成されている。これにより、入口２２ｂから導入通路２２ａに入ったパチンコ球７は扉孔２１ａへと導かれ、扉孔２１ａに入ったパチンコ球７は始動入賞口１０へと導かれる。
【００１５】
図４に示すように、導入役物２０は、開閉扉２１の後面（図４における右側面）の下側端に設けられた回動軸２１ｂを中心に、図４（Ａ）に示す閉じ位置と、図４（Ｂ）に示す開き位置との間で、図４中Ａ方向（開き方向）及びＢ方向（閉じ方向）に回動可能に設けられている。回動軸２１ｂには、回動孔２１ｃが形成されており、この回動孔２１ｃには回動シャフト（図示せず）が挿通されている。この回動シャフトが回動すると、導入役物２０が回動するようにされている。回動シャフトには、モータ２３（図６参照）が取り付けられており、モータ２３の駆動により、回動シャフトが回動する。モータ２３は、モータドライバ（図示せず）を介して本体枠３内部に配設された主制御基板２５（図６参照）に接続されており、主制御基板２５により駆動が制御される。導入役物２０が開き位置に回動されたときには、開閉扉２１は裏面に当接したパチンコ球７を始動入賞口１０に案内するため、閉じ位置に回動されたときに比べて、パチンコ球７が始動入賞口１０に入賞し易くなる。
【００１６】
図３及び図５に示すように、開閉扉２１の扉孔２１ａにより形成された内壁面には、逆流ストッパ２１ｄが対向するように２個形成されている。図５は、上側面図である。逆流ストッパ２１ｄは、扉孔２１ａから導入通路２２ａへのパチンコ球７の逆流（図５中Ｃ方向への移動）を防止するためのものであり、弾性変形可能な薄板状に形成されている。２個の逆流ストッパ２１ｄは、パチンコ球７が導入通路２２ａを介して扉孔２１ａに送られてくる際の入口側（図５中における下側）では、２個の逆流ストッパ２１ｄの距離がパチンコ球７の直径（略１１ｍｍ）よりも大きく、出口側（図５における上側）では、２個の逆流ストッパ２１ｄの距離がパチンコ球７の直径よりも小さくなるように形成されている。図５（Ｂ）に示すように、パチンコ球７が入口２２ｂから導入通路２２ａを介して扉孔２１ａに送られてきた場合には、２個の逆流ストッパ２１ｄはそれぞれ外側方向に変形してパチンコ球７を図５中Ｄ方向に通過させ、パチンコ球７が通過した後には図５（Ａ）に示すように、元の形に戻る。導入役物２０が開き位置に回動されたときには、パチンコ球７が扉孔２１ａの出口側から図５中Ｃ方向へ移動しようとするが、２個の逆流ストッパ２１ｄに接触して、扉孔２１ａに入ることができない。
【００１７】
図６に示すように、パチンコ機２の作動は基本的に主制御基板２５、副制御基板２６によって管制される。主制御基板２５と副制御基板２６とには、それぞれ接続端子が設けられ、接続ケーブル等で接続端子を接続することにより主制御基板２５と副制御基板２６とは電気的に接続される。
【００１８】
主制御基板２５は、メインＣＰＵ（ｃｅｎｔｒａｌ  ｐｒｏｃｅｓｓｉｎｇ  ｕｎｉｔ）２５ａ及びメインＲＯＭ（ｒｅａｄ  ｏｎｌｙ  ｍｅｍｏｒｙ）２５ｂ及びメインＲＡＭ（ｒａｎｄｏｍ  ａｃｃｅｓｓ  ｍｅｍｏｒｙ）２５ｃ、大当り抽選部２５ｄ、小当たり抽選部２５ｅを備える。メインＣＰＵ２５ａは、入賞球検知センサ１６から入力される入力信号に応じて、メインＲＯＭ２５ｂに記憶されている遊技制御プログラムを読み込んでパチンコ機の遊技状態を制御する命令を生成すると共に、副制御基板２６に命令情報を送信して所定の遊技状態となるように実行させる。メインＲＯＭ２５ｂには、遊技制御プログラムおよび乱数生成処理プログラムおよび乱数テーブルなどが所定の領域に格納されており、これらはメインＣＰＵ２５ａによって読み出され、演算処理されるように適宜用いられる。メインＲＡＭ２５ｃは、ワーキングエリアとなっており、遊技において利用されるデータなどの一時的保管や書き換えなどに用いられる。
【００１９】
メインＣＰＵ２５ａは、入賞球検知センサ１６からの信号が入力されると、メインＲＯＭ２５ｂに記憶されている遊技制御プログラムに基づいて、球払出装置３０を駆動して所定個数の賞球を供給皿６上に払い出す。なお、賞球の個数は、遊技球が入った各入賞口１０、１１の種類に応じて適宜設定して良い。また、球発射装置１７は、メインＣＰＵ２５ａに接続されており、メインＣＰＵ２５ａにより駆動が制御される。
【００２０】
副制御基板２６は、サブＣＰＵ２６ａ、サブＲＯＭ２６ｂ及びサブＲＡＭ２６ｃを備える。サブＣＰＵ２６ａは、サブＲＯＭ２６ｂに格納された副制御装置用制御プログラムを適宜読み出し、主制御基板２５から命令情報として入力される制御信号に応じて、副制御用制御プログラムに従って、図柄可変表示装置９の駆動制御を行う。サブＲＡＭ２６ｃはワーキングエリアとなっており、図柄可変表示装置９の制御において利用されるデータなどの一時的保管や書き換えなどに用いられる。
【００２１】
始動入賞口１０に入ったパチンコ球７が入賞球検知センサ１６により検知されると、メインＣＰＵ２５ａにスタート信号が入力される。メインＣＰＵ２５ａはスタート信号に応答して大当り抽選部２５ｄを作動させる。
【００２２】
大当り抽選部２５ｄは、乱数発生器、乱数サンプリング回路、大当り決定テーブルを含んでおり、始動入賞口１０の入賞球検知センサ１６によりパチンコ球７の入賞が検知されるたびに１つの乱数値を抽選する。抽選された乱数値は大当りテーブルと照合され、大当りモードに移行させるか否かが抽選判定の結果として決定され、該決定に係る情報（例えばコマンド）が生成される。
【００２３】
大当り決定テーブルでは、乱数値がその大きさに応じて３つのグループにグループ分けされている。３つの乱数値グループには、ハズレ、通常大当たりモードに移行させる「通常大当たり」、通常時とは大当たり確率が異なる確率変動大当たり（以下、確変大当り）モードに移行させる「確変大当り」がそれぞれ割り当てられており、サンプリングされた乱数値がいずれのグループに属する値であるかによって、ハズレ及び大当りのいずれかにするかを決定する当選判定が行われる。抽選が終了すると抽選結果信号がメインＣＰＵ２５ａにフィードバックされる。メインＣＰＵ２５ａは、抽選結果信号をサブＣＰＵ２６ａに送る。
【００２４】
メインＣＰＵ２５ａは、大当り抽選部２５ｄで「通常大当たり」または「確変大当たり」が抽選されると、アタッカ１３を開き位置まで回動し、アタッカ１３が３０秒開放されるか、または大入賞口１８にパチンコ球７が１０個入賞される（大入賞球検知センサ１９によりパチンコ球７が１０個検知される）かを１ラウンドとして、所定ラウンド（例えば、１５ラウンド）を継続して実行する。また、「確変大当たり」が抽選されると、次回大当たりが抽選されるまで、通常時とは異なる確変大当り決定テーブルが抽選時に用いられる。
【００２５】
通過入賞口１２に入ったパチンコ球７が入賞球検知センサ１６により検知されると、メインＣＰＵ２５ａに小当たり抽選信号が入力される。メインＣＰＵ２５ａは小当たり抽選信号に応答して小当たり抽選部２５ｅを作動させる。
【００２６】
小当たり抽選部２５ｅは、乱数発生器、乱数サンプリング回路、小当り決定テーブルを含んでおり、通過入賞口１２の入賞球検知センサ１６によりパチンコ球７の入賞が検知されるたびに１つの乱数値を抽選する。抽選された乱数値は小当りテーブルと照合され、小当たりモードに移行させるか否かが抽選判定の結果として決定され、該決定に係る情報（例えばコマンド）が生成される。なお、通常時には、１回の小当たり抽選は、所定時間（例えば、３０秒）で行われる。
【００２７】
小当り決定テーブルでは、乱数値がその大きさに応じて２つのグループにグループ分けされている。２つの乱数値グループには、ハズレ、小当たりモードに移行させる「小当たり」がそれぞれ割り当てられており、サンプリングされた乱数値がいずれのグループに属する値であるかによって、ハズレ及び小当たりのいずれかにするかを決定する当選判定が行われる。抽選が終了すると抽選結果信号がメインＣＰＵ２５ａにフィードバックされる。メインＣＰＵ２５ａは、抽選結果信号をサブＣＰＵ２６ａに送る。
【００２８】
メインＣＰＵ２５ａは、小当たり抽選部２５ｅで「小当たり」が抽選されると、モータ２３の駆動を制御し、導入役物２０を開き位置まで回動し、始動入賞口１０が所定時間（例えば、０．５秒）開放されると、導入役物２０を閉じ位置まで回動する。また、上記した「確変大当たり」が抽選された場合には、この大当たりが終了してから、次回大当たりが抽選されてこの大当たりが開始される（アタッカ１３が開き位置に回動される）までは、１回の小当たり抽選が所定時間（例えば、２秒）で行われるとともに、「小当たり」が抽選されたときには始動入賞口１０が所定時間（例えば、３秒）開放される。すなわち、「確率大当たり」が抽選された場合には、この大当たりが終了してから、次回大当たりが抽選されてこの大当たりが開始されるまでは、始動入賞口１０に入賞し易い状態が続くこととなる。これにより、遊技者は、次回大当たりまで獲得したパチンコ球７の総数を減らすことなく、遊技を行うことができる。
【００２９】
副制御基板２６のサブＲＯＭ２６ｂには、各特別図柄のグラフィックデータ、停止図柄用乱数サンプリング回路、停止図柄テーブルが格納されている。サブＣＰＵ２６ａは、抽選結果信号が入力されると、サブＲＯＭ２６ｂに格納させた停止図柄用乱数サンプリング回路に基づいて乱数値のサンプリングを行わせ、サンプリングされた乱数値を停止図柄テーブルと比較させる。停止図柄テーブルはハズレ用、大当り用、確変大当たり用の３種類設けられており、サンプリングされた乱数値は大当り抽選部２５ｄでの抽選結果に対応する停止図柄テーブルと照合される。ぞれぞれの停止図柄テーブルには、グループ分けされた乱数値に入賞有効ライン上に停止させる特別図柄の組み合わせが割り当てられており、サンプリングされた乱数値がいずれのグループに属する値であるかによって、入賞有効ライン上に停止される特別図柄の組み合わせが決定される。サブＣＰＵ２６ａは、決定された特別図柄の組み合わせに基づき、図柄可変表示装置９での特別図柄の変動表示及び停止表示の制御を行う。なお、停止図柄テーブルには、例えば入賞有効ライン上に特別図柄が２個停止したときに特定の特別図柄が揃った状態、つまりはリーチ状態となったときの特別図柄の変動態様、図柄可変表示中に行われるリーチ予告での特別図柄の変動態様、大当り予告での特別図柄の停止態様など、通常時とは異なる特別図柄の変動態様を行わせるか否かのデータも含まれている。
【００３０】
上記のように構成されたパチンコ機２の作用について説明する。通過入賞口１２に入ったパチンコ球７が入賞球検知センサ１６により検知されると、メインＣＰＵ２５ａに小当たり抽選信号が入力される。メインＣＰＵ２５ａは、小当たり抽選信号に応答して小当たり抽選部２５ｅを作動させる。小当たり抽選部２５ｅは、１つの乱数値を抽選する。メインＣＰＵ２５ａは、小当たり抽選部２５ｅで「小当たり」が抽選されると、モータ２３の駆動を制御し、導入役物２０を開き位置まで回動し、始動入賞口１０が０．５秒（通常時）または３秒（確変時）開放されると、導入役物２０を閉じ位置まで回動する。導入役物２０が開き位置に回動されると、始動入賞口１０が開放され、開閉扉２１の裏面に当接したパチンコ球７が始動入賞口１０に案内される。一方、導入役物２０が閉じ位置に回動されているときには、パチンコ球７は、始動入賞口１０の開口幅（略５０ｍｍ）の３０％の開口幅（略１５ｍｍ）である入口２２ｂから入り、導入通路２２ａを介して始動入賞口１０に入賞する。すなわち、導入役物２０が開き位置に回動されたときには、閉じ位置に回動されたときに比べて、パチンコ球７が始動入賞口１０に入賞し易くなる。
【００３１】
このように、導入役物２０は、通常時よりも始動入賞口１０に入賞し易い状態にすることができるとともに、誘導部と２枚の羽根とを備えたチューリップ型役物を始動入賞口１０用の役物として用いた場合に比べて上下方向において小型化することができる。
【００３２】
また、球受け部２２は、開閉扉２１の前面であって球受け部２２の底面が開閉扉２１の底面と略一致するように開閉扉２１の軸着部である回動軸２１ｂ側に寄せて形成されているから、球受け部２２が開閉扉２１の上端部側に寄せて形成されているものに比べて、導入役物２０の前面側に配設されたガラスに当接するまでの回動角度が大きくなるため、導入役物２０とガラスとの隙間が小さいパチンコ機にも実施することができる。
【００３３】
なお、本実施形態では、始動入賞口１０の役物として用いたが、これに限定されることなく、通常入賞口１１の役物、アタッカ１３として用いてもよい。
【図面の簡単な説明】
【００３４】
【図１】本発明を実施したパチンコ機の外観を示す斜視図である。
【図２】始動入賞口を開放した状態のパチンコ機の外観を示す斜視図である。
【図３】遊技盤と始動入賞口と始動扉とを示す斜視図である。
【図４】遊技盤と始動入賞口と始動扉とを示す右側面断面図である。
【図５】始動入賞口と始動扉とを示す上側面断面図である。
【図６】パチンコ機内部の電気的構成を示す機能ブロック図である。
【符号の説明】
【００３５】
２  パチンコ機
３  本体枠
４  遊技盤
４ａ  遊技領域
５  前面扉
７  パチンコ球（遊技球）
１０  始動入賞口
１１  通常入賞口
１２  通過入賞口
１３  アタッカ
１６  入賞球検知センサ
２０  導入役物
２１  開閉扉
２１ａ  扉孔（通過孔）
２１ｂ  回動軸
２１ｃ  回動孔
２１ｄ  逆流ストッパ
２２  球受け部
２２ａ  導入通路
２２ｂ  入口
２３  モータ
２５  主制御基板
【図１】
2006230535.tif 000003
【図２】
2006230535.tif 000004
【図３】
2006230535.tif 000005
【図４】
2006230535.tif 000006
【図５】
2006230535.tif 000007
【図６】
2006230535.tif 000008